(57)【要約】【課題】ノイズによる誤動作等の電磁波障害の発生を大幅に低減することが可能なフレキシブル配線基板を提供する。【解決手段】可撓性のベースフィルム２に配設されているグランド配線６と、グランド配線６を被覆するカバーフィルム７と、カバーフィルム７を被覆する電磁波障害の防止対策用の銀ペーストからなる導電膜９とを有し、携帯電話器８内において実装されたフレキシブル配線基板１が湾曲される湾曲部１ａに、グランド配線６および導電膜９を導電接続するスルーホール１０Ａを、複数個形成する。【選択図】      図１
2007234831.tif 000002
【特許請求の範囲】
【請求項１】
可撓性のベースフィルムに配設されているグランド配線と、
前記グランド配線を被覆するカバーフィルムと、
前記カバーフィルムを被覆する電磁波障害の防止対策用の導電膜とを有し、
機器内において実装された状態で前記ベースフィルムが湾曲される湾曲部に、前記グランド配線および前記導電膜を導電接続するスルーホールが、複数個形成されていることを特徴とするフレキシブル配線基板。
【請求項２】
前記各スルーホールは、前記カバーフィルムを貫通する貫通孔と、前記貫通孔の内面に設けられた導通部とを有し、
前記各スルーホールは、前記導通部の最外周縁部が、それぞれ０．５ｍｍ以内に近接して前記グランド配線の延在方向に設けられている請求項１に記載のフレキシブル配線基板。
【請求項３】
前記スルーホールは、前記グランド配線に対応する位置であって、前記グランド配線の延在方向に千鳥状に複数個形成されている請求項１または２に記載のフレキシブル配線基板。
【発明の詳細な説明】
【技術分野】
【０００１】
本発明は、電磁波障害の防止対策用の導電膜がスルーホールを介してグランド配線に導電接続されているフレキシブル配線基板に関する。
【背景技術】
【０００２】
従来より、携帯電話器等の電子機器において、例えば液晶表示パネルと駆動回路基板とを電気的に接続する手段として、取り扱いが容易等の観点より、フレキシブル配線基板が多用されている。
【０００３】
図７は、従来のフレキシブル配線基板の一例を示す模式的平面図である。図７に示すように、このフレキシブル配線基板２１は、例えば、樹脂材料等からなるベースフィルム２２を有し、ベースフィルム２２の一面には、駆動回路基板から液晶表示パネルに信号を供給するための銅箔等の導電材料からなる信号配線２３、および同じく銅箔等の導電材料からなるグランド配線２４が配設されており、信号配線２３およびグランド配線２４は、樹脂材料等からなるカバーフィルムにより被覆されている。
【０００４】
このような従来のフレキシブル配線基板２１においては、フレキシブル配線基板２１が外部から電磁波（ノイズ）を受けることより、誤動作してしまう等の障害を防止する対策として、カバーフィルム上に、電磁波障害の防止対策用の導電膜２６が形成されている。この導電膜２６の構成材料としては、コストが低い、および印刷形成が容易である等の観点から、従来より銀ペースト等が多用されている。そして、前記導電膜２６は、スルーホール２７を介してグランド配線２４に導電接続されている。
【０００５】
そして、このフレキシブル配線基板２１における各信号配線２３およびグランド配線２４の一端部を液晶表示パネルの電極端子に導電接続するとともに、他端部を駆動回路基板の回路配線に導電接続して、フレキシブル配線基板２１を介して液晶表示パネルと駆動回路基板とを電気的に接続するようになっている。さらに、このフレキシブル配線基板２１を介して接続された液晶表示パネルおよび駆動回路基板は、電子機器としての例えば携帯電話器内に実装されるようになっている。
【０００６】
しかし、携帯電話器内にフレキシブル配線基板２１が湾曲されながら実装されたり、あるいは開閉式の携帯電話器における開閉時にフレキシブル配線基板２１が湾曲されると、導電膜２６が銀ペーストによって形成されている場合に銀ペーストは硬質であるので折れることがあり、このため、フレキシブル配線基板２１の導電膜２６における前述の湾曲される湾曲部に亀裂２８が入ってしまうおそれがある。
【０００７】
このとき、図７に示すように、スルーホール２７が形成されていない領域に、導電膜２６に亀裂２８が生じることにより、導電膜２６において他の部分に接続しない独立した独立部２９が形成されてしまうことがあり、この結果、フレキシブル配線基板２１においては、グランド配線に接続されていない独立部２９がノイズを受けた場合、このノイズをグランド配線２４に逃がすことができず、この結果、誤動作等の障害が発生してしまうというおそれがあった。
【発明の開示】
【発明が解決しようとする課題】
【０００８】
本発明はこれらの点に鑑みてなされたものであり、ノイズによる誤動作等の電磁波障害の発生を大幅に低減することが可能なフレキシブル配線基板を提供することを目的とする。
【課題を解決するための手段】
【０００９】
前記目的を達成するため、請求項１に記載の発明に係るフレキシブル配線基板の特徴は、可撓性のベースフィルムに配設されているグランド配線と、前記グランド配線を被覆するカバーフィルムと、前記カバーフィルムを被覆する電磁波障害の防止対策用の導電膜とを有し、機器内において実装された状態で前記ベースフィルムが湾曲される湾曲部に、前記グランド配線および前記導電膜を導電接続するスルーホールが、複数個形成されている点にある。
【００１０】
ここで、前記湾曲部とは、湾曲されながら実装される部分の他に、湾曲されずに実装された部分であっても電子機器の使用時に湾曲される部分も含む。
【００１１】
この請求項１に記載の発明によれば、導電膜における湾曲部に複数の前記スルーホールが形成されているので、フレキシブル配線基板の湾曲部においてスルーホールが形成されていない領域を狭くすることができる。このため、フレキシブル配線基板を湾曲したことにより、導電膜における湾曲部に２箇所以上の亀裂が生じて、導電膜において他の部分に接続しない独立した独立部が形成されるのを防止し、ほとんどの箇所においてスルーホールを位置させることができる。
【００１２】
また、請求項２に記載の発明に係るフレキシブル配線基板の特徴は、前記各スルーホールが、前記カバーフィルムを貫通する貫通孔と、前記貫通孔の内面に設けられた導通部とを有し、前記各スルーホールは、前記導通部の最外周縁部が、それぞれ０．５ｍｍ以内に近接して前記グランド配線の延在方向に設けられている点にある。
【００１３】
この請求項２に記載の発明によれば、湾曲部に形成される各スルーホールの導通部の最外周縁部が、それぞれ０．５ｍｍ以内に近接して設けられており、湾曲部においてスルーホールが形成されていない独立部をなくすことができるので、湾曲部にスルーホールを確実に位置させることができる。
【００１４】
さらに、請求項３に記載の発明に係るフレキシブル配線基板の特徴は、前記スルーホールが、前記グランド配線に対応する位置であって前記グランド配線の延在方向に千鳥状に複数個形成されている点にある。
【００１５】
この請求項３に記載の発明によれば、導電膜における湾曲部に複数のスルーホールが前記グランド配線に対応する位置に千鳥状に形成されているので、フレキシブル配線基板の湾曲部においてもスルーホールが形成されていない領域をさらに狭くすることができる。このため、導電膜における湾曲部に２箇所以上の亀裂が生じることを防止することができ、導電膜において他の部分に接続しない独立した独立部が形成されることを防止することができる。
【発明の効果】
【００１６】
以上述べたように、本発明に係るフレキシブル配線基板によれば、フレキシブル配線基板の湾曲部に独立部が形成されず、湾曲部がノイズを受けた場合であっても、湾曲部に位置するスルーホールを介して確実にノイズをグランド配線に逃すことができ、これにより、フレキシブル配線基板の誤動作等の障害の発生を防止することができる。この結果、導電膜の湾曲部に独立部が形成されてしまうことを防止する。さらには、フレキシブル配線基板の長寿命化を図ることができる。
【００１７】
また、複数個の他のスルーホールを非湾曲部に形成した場合においても、導電膜における非湾曲部に亀裂が生じ、この非湾曲部がノイズを受けた場合であっても、非湾曲部に位置するスルーホールを介してノイズをグランド配線に逃すことができ、これにより、フレキシブル配線基板の誤動作等の障害の発生を防止することができる。
【発明を実施するための最良の形態】
【００１８】
以下、本発明のフレキシブル配線基板の一実施形態を図１から図６を参照して説明する。
【００１９】
ここで、本実施形態に係るフレキシブル配線基板は、実装される電子機器として携帯電話器を用い、液晶表示パネルと、液晶表示パネルの駆動回路基板を電気的に接続するフレキシブル配線基板について説明するが、本発明に係るフレキシブル配線基板は、本実施形態に限定されるものではない。
【００２０】
図１は、本実施形態のフレキシブル配線基板を示す模式的平面図、図２は、図１のフレキシブル配線基板１のＡ−Ａ線における拡大した模式的断面図、図３は、液晶表示パネル４および駆動回路基板３に接続された図１のフレキシブル配線基板１を示す模式的平面図である。
【００２１】
図１、２および３に示すように、本実施形態に係るフレキシブル配線基板１は、樹脂材料等からなるベースフィルム２を有し、ベースフィルム２の一面には、駆動回路基板３から液晶表示パネル４に信号を供給するための銅箔等の導電材料からなる複数の信号配線５、および同じく銅箔等の導電材料からなるグランド配線６が配設されている。各信号配線５およびグランド配線６は、樹脂材料からなるカバーフィルム７により被覆されている。
【００２２】
カバーフィルム７上には、電磁波障害の防止対策用のための銀ペーストからなる導電膜９が配設されている。
【００２３】
また、導電膜９のうちフレキシブル配線基板１の湾曲部１ａにおけるグランド配線６に対応する位置には、導電膜９とグランド配線６とを導電接続する複数のスルーホール（以下、湾曲部スルーホールと称する）１０Ａがグランド配線６の延在方向に形成されている。ここで、本実施形態において湾曲部１ａとは、図４に示すように、携帯電話器８の使用時に湾曲される部分（繰り返し屈曲する部分）をいうが、本発明においてフレキシブル配線基板１の湾曲部１ａは、これに限定されるものではなく、湾曲部１ａには、携帯電話器８の使用時には湾曲されなくても、携帯電話器８内に実装される際に湾曲される部分も含まれる。
【００２４】
さらに、導電膜９のうち前記湾曲部１ａを除く非湾曲部１ｂにおけるグランド配線６に対応する位置には、等間隔の幅寸法によって湾曲部スルーホール１０Ａと同構造の複数の他のスルーホール（以下、非湾曲部スルーホールと称する。）１０Ｂが形成されていてもよい。
【００２５】
各スルーホール１０は、カバーフィルム７を貫通する貫通孔１１と、貫通孔１１の内面を被覆する銅メッキ等の導電材料からなる導通部１２とを有している。また、各スルーホール１０は、グランド配線６に対応する位置に並列し、各スルーホール１０の平面形状が円形状の導通部１２の最外周縁部１２ａが、グランド配線６の両側縁に対応する位置に接して配置されるように形成されている。
【００２６】
さらに、各湾曲部スルーホール１０Ａは、隣位の各湾曲部スルーホール１０Ａの導通部１２における最外周縁部１２ａの間隙寸法が、０．５ｍｍ以下、特に０．２ｍｍ以下の寸法に形成されていることが好ましく、本実施形態においては、図５に示すように、各湾曲部スルーホール１０Ａは、導通部１２の最外周縁部１２ａが、それぞれ隣接するように設けられている。
【００２７】
なお、各スルーホール１０の配置位置は、本実施形態の配置位置に限定されるものではなく、例えば、図６に示すように、各湾曲部スルーホール１０Ａを、導電膜９のうちグランド配線６に対応する位置であってグランド配線６の延在方向に、千鳥状に配置してもよい。また、本実施形態において、非湾曲部１ｂには等間隔の幅寸法によって複数の非湾曲部スルーホール１０Ｂが設けられているが、これに限定されるものではなく、例えば、湾曲部１ａにより分けられた各非湾曲部１ｂにおいて、それぞれ１つずつの非湾曲部スルーホール１０Ｂを形成してもよい。さらに、湾曲部スルーホール１０Ａと非湾曲部スルーホール１０Ｂとを全て等間隔に配置してもよい。
【００２８】
そして、このフレキシブル配線基板１における各信号配線５およびグランド配線６の一端部は、液晶表示パネル４の図示しない電極端子に導電接続されているとともに、他端部は、駆動回路基板３の図示しない回路配線に導電接続されており、フレキシブル配線基板１を介して液晶表示パネル４と駆動回路基板３とが電気的に接続されている。
【００２９】
次に、本実施形態の作用について説明する。
【００３０】
本実施形態によれば、導電膜９における湾曲部１ａに複数の湾曲部スルーホール１０Ａが隣接して形成されているので、フレキシブル配線基板１の湾曲部１ａにおいて湾曲部スルーホール１０Ａが形成されていない領域を狭くすることができる。このため、フレキシブル配線基板１を湾曲したことにより、導電膜９における湾曲部１ａに２箇所以上の亀裂１４が生じて、導電膜９において独立部１５が形成されても、ほとんどの場合において独立部１５に湾曲部スルーホール１０Ａを位置させることができる。
【００３１】
また、本実施形態においては、各湾曲部スルーホール１０Ａの導通部１２の最外周縁部１２ａが、それぞれ隣接して設けられており、湾曲部１ａにおいて湾曲部スルーホール１０Ａが形成されていない領域をなくすことができるので、独立部１５に湾曲部スルーホール１０Ａを確実に位置させることができる。
【００３２】
したがって、フレキシブル配線基板１の湾曲部１ａに形成された独立部１５がノイズを受けた場合であっても、独立部１５に位置する湾曲部スルーホール１０Ａを介してノイズをグランド配線６に逃すことができ、これにより、フレキシブル配線基板１の誤動作等の障害の発生を防止することができる。この結果、導電膜９の湾曲部１ａに独立部１５が形成されてしまうことにより、フレキシブル配線基板１が使用できなくなることを低減し、または防止することができ、さらには、フレキシブル配線基板１の長寿命化を図ることができる。
【００３３】
なお、本発明は前記実施形態に限定されるものではなく、必要に応じて種々変更することが可能である。
【００３４】
例えば、本実施形態においては、ベースフィルム２の一面に信号配線５およびグランド配線６が設けられている片面のフレキシブル配線基板１を用いて説明したが、本発明のフレキシブル配線基板１はこれに限定されず、ベースフィルム２の両面に信号配線５およびグランド配線６が設けられた両面のフレキシブル配線基板１に用いてもよい。
【図面の簡単な説明】
【００３５】
【図１】本発明に係るフレキシブル配線基板を示す模式的平面図
【図２】図１のフレキシブル配線基板のＡ−Ａ線における拡大した模式的断面図
【図３】図１のフレキシブル配線基板が表示パネルおよび駆動回路基板に接続された状態を示す模式的平面図
【図４】図３の表示パネル、駆動回路基板およびフレキシブル配線基板が電子機器内に実装された状態を示す模式的側面図
【図５】図１のフレキシブル配線基板の要部を示す模式的平面
【図６】本発明に係る他のフレキシブル配線基板の要部を示す模式的平面図
【図７】従来のフレキシブル配線基板の一例を示す模式的平面図
【符号の説明】
【００３６】
１  フレキシブル配線基板
１ａ  湾曲部
１ｂ  非湾曲部
２  ベースフィルム
３  駆動回路基板
４  液晶表示パネル
５  信号配線
６  グランド配線
７  カバーフィルム
８  携帯電話器
９  導電膜
１０  スルーホール
１０Ａ  湾曲部スルーホール
１０Ｂ  非湾曲部スルーホール
１１  貫通孔
１１ａ  開口縁
１２  導通部
１２ａ  最外周縁部
１４  亀裂
１５  独立部
【図１】
2007234831.tif 000003
【図２】
2007234831.tif 000004
【図３】
2007234831.tif 000005
【図４】
2007234831.tif 000006
【図５】
2007234831.tif 000007
【図６】
2007234831.tif 000008
【図７】
2007234831.tif 000009